(57)【要約】【課題】一つの挿入口から挿入されたカード媒体の種別に応じた決済処理が可能なカード処理装置、料金機械、カード処理方法、及びプログラムを提供する。【解決手段】カード処理装置１Ａは、カード媒体が挿入される一つの挿入口１０と、前記挿入口の下流側に配置され、磁気ストライプに記憶された情報を読み取る磁気読取部１３と、前記磁気読取部の下流側に配置され、前記磁気ストライプから読み取られた情報に応じて前記カード媒体を第１搬送路１５ａ又は第２搬送路１５ｂに振り分ける振分機構１４と、前記第１搬送路に配置され、第１決済アプリケーションに基づいて前記ＩＣチップを読み取り可能とする第１カードリーダユニット１６と、前記第２搬送路に配置され、第２決済アプリケーションに基づいて前記ＩＣチップを読み取り可能とする第２カードリーダユニット１７と、を備える。【選択図】図２
2020135431.tif 000002
【特許請求の範囲】
【請求項１】
磁気ストライプとＩＣチップとを含み、複数種類の決済用アプリケーション形式のうち少なくとも一つが前記ＩＣチップに記録されたカード媒体に基づいて決済処理を行うカード処理装置であって、
前記カード媒体が挿入される一つの挿入口と、
前記挿入口の前記カード媒体の挿入方向における下流側に配置され、前記磁気ストライプに記憶された情報を読み取る磁気読取部と、
前記磁気読取部の前記カード媒体の挿入方向における下流側に配置され、前記磁気ストライプから読み取られた情報に応じて前記カード媒体を第１搬送路又は第２搬送路に振り分ける振分機構と、
前記第１搬送路に配置され、第１決済アプリケーションに基づいて前記ＩＣチップを読み取り可能とする第１カードリーダユニットと、
前記第２搬送路に配置され、第２決済アプリケーションに基づいて前記ＩＣチップを読み取り可能とする第２カードリーダユニットと、
を備えるカード処理装置。
【請求項２】
前記振分機構は、
前記挿入口側の第１端部が固定され、前記下流側の第２端部を前記第１搬送路と前記第２搬送路との間で移動可能とする回転板を有し、
前記回転板の上面に前記カード媒体が載置された状態で、前記回転板の前記第２端部を移動させて前記第２端部を前記第１搬送路又は前記第２搬送路に接続させる、
請求項１に記載のカード処理装置。
【請求項３】
前記第１搬送路及び前記第２搬送路は異なる高さに設けられ、
前記振分機構は、前記回転板の前記第２端部を前記第１搬送路又は前記第２搬送路の高さに一致するように移動させる、
請求項２に記載のカード処理装置。
【請求項４】
前記第１搬送路は、前記挿入口と一致する高さに設けられ、
前記第２搬送路は、前記第１搬送路の鉛直方向の上側に設けられる、
請求項３に記載のカード処理装置。
【請求項５】
前記第１搬送路又は前記第２搬送路の前記カード媒体の挿入方向における下流側の第３搬送路に配置され、第３決済アプリケーションに基づいて前記ＩＣチップを読み取り可能とする第３カードリーダユニットを更に備える、
請求項１から４の何れか一項に記載のカード処理装置。
【請求項６】
請求項１から５の何れか一項に記載のカード処理装置を備える料金機械。
【請求項７】
磁気ストライプとＩＣチップとを含み、複数種類の決済用アプリケーション形式のうち少なくとも一つが前記ＩＣチップに記録されたカード媒体に基づいて決済処理を行うカード処理方法であって、
一つの挿入口から挿入された前記カード媒体の前記磁気ストライプに記憶された情報を読み取る磁気読取ステップと、
前記磁気ストライプから読み取られた情報に応じて前記カード媒体を第１搬送路又は第２搬送路に振り分ける振分ステップと、
前記第１搬送路に搬送された前記カード媒体について、第１決済アプリケーションに基づいて前記ＩＣチップを読み取る第１カード読み取りステップと、
前記第２搬送路に搬送された前記カード媒体について、第２決済アプリケーションに基づいて前記ＩＣチップを読み取る第２カード読み取りステップと、
を有するカード処理方法。
【請求項８】
磁気ストライプとＩＣチップとを含み、複数種類の決済用アプリケーション形式のうち少なくとも一つが前記ＩＣチップに記録されたカード媒体に基づいて決済処理を行うカード処理装置のコンピュータを機能させるプログラムであって、
一つの挿入口から挿入された前記カード媒体の前記磁気ストライプに記憶された情報を読み取る磁気読取ステップと、
前記磁気ストライプから読み取られた情報に応じて前記カード媒体を第１搬送路又は第２搬送路に振り分ける振分ステップと、
前記第１搬送路に搬送された前記カード媒体について、第１決済アプリケーションに基づいて前記ＩＣチップを読み取る第１カード読み取りステップと、
前記第２搬送路に搬送された前記カード媒体について、第２決済アプリケーションに基づいて前記ＩＣチップを読み取る第２カード読み取りステップと、
を実行させるプログラム。
【発明の詳細な説明】
【技術分野】
【０００１】
本発明は、カード処理装置、料金機械、カード処理方法、及びプログラムに関する。
【背景技術】
【０００２】
有料道路には、利用者の操作を受け付けて利用料金を自動的に収受する料金自動収受機、収受員の操作を受け付けて利用料金を収受するために用いられる料金収受機等の機械（以下、これらを総称して「料金機械」とも記載する）が設置されている。料金機械は、利用者からクレジットカードによる支払いを受け付けるために、クレジットカードから各種情報を読み取るためのカード処理装置を備えている。
【０００３】
また、カード処理装置は複数種類のカード媒体を処理できるように、複数のカード処理部を有している場合がある。例えば、特許文献１には、磁気ストライプに予め入金された金額（残高）が記録される磁気カードを処理する磁気カード処理部と、ＩＣ（Ｉｎｔｅｇｒａｔｅｄ  Ｃｉｒｃｕｉｔ）チップに予め入金された金額が記録される無線カードを無線通信により処理する無線カード処理部と、磁気ストライプ又はＩＣチップにクレジット決済用の口座情報が記録されるクレジットカードを処理するクレジットカード処理部と、を有するカード処理装置が記載されている。
【０００４】
このカード処理装置は、挿入されたカード媒体が外形寸法及び厚みに基づき磁気カードであると判断した場合、磁気カード処理部にカード媒体を搬送する。また、このカード処理装置は、外形寸法及び厚みによる判別ができない無線カード及びクレジットカードについては、無線Ｒ／Ｗ部による無線通信を介した読み取りに成功した場合は無線カード処理部にカード媒体を搬送し、失敗した場合はクレジットカード処理部にカード媒体を搬送するようにしている。
【先行技術文献】
【特許文献】
【０００５】
【特許文献１】特開２００２−３０４６４３号公報
【発明の概要】
【発明が解決しようとする課題】
【０００６】
近年では、クレジットカードの不正使用対策として、ＥＭＶ（Ｅｕｒｏｐａｙ，  ＭａｓｔｅｒＣａｒｄ，  ＶＩＳＡ  ｐｒｏｔｏｃｏｌ）仕様に準拠したクレジットカードであるＥＭＶ−ＩＣカードに対応することが求められている。ＥＭＶ−ＩＣカードはＩＣチップが搭載されたＩＣカードの一態様であるが、従来の料金機械で使用されているＥＭＶ−ＩＣカード以外のＩＣカード（例えば、電子式料金収受システム（ＥＴＣ：Electronic Toll Collection System（登録商標）、「自動料金収受システム」ともいう）で使用されるＥＴＣ−ＩＣカード）とは決済処理において実行される処理が異なる。
【０００７】
ＥＭＶ−ＩＣカードと、ＥＭＶ−ＩＣカード以外のＩＣカードであるＥＴＣ−ＩＣカードとは、外形寸法及び厚みは略同一であり、また、何れも無線通信機能を有していない場合がある。したがって、上述のカード処理装置の仕組みでは、ＥＭＶ−ＩＣカードと、ＥＴＣ−ＩＣカードとを判別することができない。このため、例えばＥＭＶ−ＩＣカードを処理するためのカード処理装置と、ＥＴＣ−ＩＣカードを処理するためのカード処理装置とを並べて設置することが考えられる。
【０００８】
しかしながら、このように複数のカード処理装置が料金機械に導入された場合、利用者は、例えばＥＭＶ−ＩＣカード用のカード処理装置に誤ってＥＴＣ−ＩＣカードを挿入してしまう可能性がある。そうすると、利用者は、ＥＭＶ−ＩＣカード用のカード処理装置における決済処理が失敗した後、返却されたＥＴＣ−ＩＣカードをＥＴＣ−ＩＣ用のカード処理装置に挿入し直して再度決済処理が終了するまで待たなければならない。この結果、利用料金の収受に要するサービスタイムが大幅に増加してしまう。
【０００９】
本発明は、このような課題に鑑みてなされたものであって、一つの挿入口から挿入されたカード媒体の種別に応じた決済処理が可能なカード処理装置、料金機械、カード処理方法、及びプログラムを提供する。
【課題を解決するための手段】
【００１０】
上記課題を解決するため、本発明は以下の手段を採用している。
本発明の第１の態様によれば、磁気ストライプとＩＣチップとを含み、複数種類の決済用アプリケーション形式のうち少なくとも一つが前記ＩＣチップに記録されたカード媒体に基づいて決済処理を行うカード処理装置（１Ａ，１Ｂ）は、前記カード媒体が挿入される一つの挿入口（１０）と、前記挿入口の前記カード媒体の挿入方向における下流側に配置され、前記磁気ストライプに記憶された情報を読み取る磁気読取部（１３）と、前記磁気読取部の前記カード媒体の挿入方向における下流側に配置され、前記磁気ストライプから読み取られた情報に応じて前記カード媒体を第１搬送路（１５ａ）又は第２搬送路（１５ｂ）に振り分ける振分機構（１４）と、前記第１搬送路に配置され、第１決済アプリケーションに基づいて前記ＩＣチップを読み取り可能とする第１カードリーダユニット（１６）と、前記第２搬送路に配置され、第２決済アプリケーションに基づいて前記ＩＣチップを読み取り可能とする第２カードリーダユニット（１７）と、を備える。
このようにすることで、カード処理装置は、一つの挿入口に挿入されたカード媒体の磁気ストライプから読み取った情報に基づいて、カード媒体を種別に応じた適切なカードリーダユニットに搬送することができる。これにより、カード処理装置は、利用者がカード媒体に応じて挿入口を選択する必要がないので、処理できないカード媒体を誤って挿入されたカードリーダユニットが処理を失敗する頻度や、利用者がカード媒体の再挿入を行う頻度を低減させることができる。また、挿入口は一つのみであるので、利用者がカード媒体を挿入する場所を探す時間を短縮することができる。この結果、カード処理装置は、決済処理に要するサービスタイムが増加することを抑制できる。
【００１１】
本発明の第２の態様によれば、第１の態様に係るカード処理装置（１Ａ，１Ｂ）において、前記振分機構（１４）は、前記挿入口側の第１端部（１４１ａ）が固定され、前記下流側の第２端部（１４１ｂ）を前記第１搬送路（１５ａ）と前記第２搬送路（１５ｂ）との間で移動可能とする回転板（１４１）を有し、前記回転板の上面（１４１ｃ）に前記カード媒体が載置された状態で、前記回転板の前記第２端部を移動させて前記第２端部を前記第１搬送路（１５ａ）又は前記第２搬送路（１５ｂ）に接続させる。
このようにすることで、カード処理装置は、回転板を回転させる簡易な構成でカード媒体を第１搬送路又は第２搬送路に振り分けることができる。
【００１２】
本発明の第３の態様によれば、第２の態様に係るカード処理装置（１Ａ，１Ｂ）において、前記第１搬送路（１５ａ）及び前記第２搬送路（１５ｂ）は異なる高さに設けられる。前記振分機構（１４）は、前記回転板（１４１）の前記第２端部（１４１ｂ）を前記第１搬送路又は前記第２搬送路の高さに一致するように移動させる。
このようにすることで、カード処理装置は、第１カードリーダユニット及び第２カードリーダユニットを例えば上下方向に並べて配置することができるので、カード処理装置の挿入口から下流側端までのサイズをコンパクトにすることができる。
【００１３】
本発明の第４の態様によれば、第３の態様に係るカード処理装置（１Ａ，１Ｂ）において、前記第１搬送路（１５ａ）は、前記挿入口（１０）と一致する高さに設けられ、前記第２搬送路（１５ｂ）は、前記第１搬送路の鉛直方向の上側に設けられる。
このようにすることで、カード処理装置は、挿入口から第１搬送路までの経路は水平方向に直線状となるので、搬送するカード媒体に重力等の影響を生じさせにくく、カード媒体の搬送に係る制御が複雑化することを抑制できる。また、挿入口から第２搬送路までは鉛直方向の上側に向かう経路となるが、鉛直方向の下側に向かう経路とするよりも、カード媒体が第２搬送路に衝突する等の影響を抑制することができる。
【００１４】
本発明の第５の態様によれば、第１から第４の何れか一の態様に係るカード処理装置（１Ｂ）は、前記第１搬送路（１５ａ）又は前記第２搬送路（１５ｂ）の前記カード媒体の挿入方向における下流側の第３搬送路（１５ｃ）に配置され、第３決済アプリケーションに基づいて前記ＩＣチップを読み取り可能とする第３カードリーダユニット（１８）を更に備える。
このようにすることで、カード処理装置は、第１カードリーダユニットまたは第２カードリーダユニットで処理できないカード媒体を、第３カードリーダユニットで処理することができる。
【００１５】
本発明の第６の態様によれば、料金機械（１００）は、第１から第５の何れか一の態様に係るカード処理装置（１Ａ，１Ｂ）を備える。
【００１６】
本発明の第７の態様によれば、磁気ストライプとＩＣチップとを含み、複数種類の決済用アプリケーション形式のうち少なくとも一つが前記ＩＣチップに記録されたカード媒体に基づいて決済処理を行うカード処理方法は、一つの挿入口から挿入された前記カード媒体の前記磁気ストライプに記憶された情報を読み取る磁気ストライプ読取ステップと、前記磁気ストライプから読み取られた情報に応じて前記カード媒体を第１搬送路又は第２搬送路に振り分ける振分ステップと、前記第１搬送路に搬送された前記カード媒体について、第１決済アプリケーションに基づいて前記ＩＣチップを読み取る第１カード読み取りステップと、前記第２搬送路に搬送された前記カード媒体について、第２決済アプリケーションに基づいて前記ＩＣチップを読み取る第２カード読み取りステップと、を有する。
【００１７】
本発明の第８の態様によれば、磁気ストライプとＩＣチップとを含み、複数種類の決済用アプリケーション形式のうち少なくとも一つが前記ＩＣチップに記録されたカード媒体に基づいて決済処理を行うカード処理装置（１Ａ，１Ｂ）のコンピュータ（９００）を機能させるプログラムは、一つの挿入口から挿入された前記カード媒体の前記磁気ストライプに記憶された情報を読み取る磁気ストライプ読取ステップと、前記磁気ストライプから読み取られた情報に応じて前記カード媒体を第１搬送路又は第２搬送路に振り分ける振分ステップと、前記第１搬送路に搬送された前記カード媒体について、第１決済アプリケーションに基づいて前記ＩＣチップを読み取る第１カード読み取りステップと、前記第２搬送路に搬送された前記カード媒体について、第２決済アプリケーションに基づいて前記ＩＣチップを読み取る第２カード読み取りステップと、を実行させる。
【発明の効果】
【００１８】
本発明に係るカード処理装置、料金機械、カード処理方法、及びプログラムによれば、一つの挿入口から挿入されたカード媒体の種別に応じた決済処理が可能となる。
【図面の簡単な説明】
【００１９】
【図１】第１の実施形態に係る料金機械の概要を示す図である。
【図２】第１の実施形態に係るカード処理装置の断面図である。
【図３】図２のＩＩＩ部拡大図である。
【図４】第１の実施形態に係るカード処理装置の制御部の機能構成を示す図である。
【図５】第１の実施形態に係るカード処理装置の処理の一例を示すフローチャートである。
【図６】第２の実施形態に係るカード処理装置の断面図である。
【図７】第２の実施形態に係るカード処理装置の処理の一例を示すフローチャートである。
【図８】少なくとも一の実施形態に係るカード処理装置のハードウェア構成の一例を示す図である。
【発明を実施するための形態】
【００２０】
＜第１の実施形態＞
以下、本発明の第１の実施形態に係る料金機械及びカード処理装置について、図１〜図５を参照しながら説明する。
【００２１】
（料金機械の全体構成）
図１は、第１の実施形態に係る料金機械の概要を示す図である。
本実施形態に係る料金機械は、図１に示すように、例えば有料道路の料金所に設置された料金自動収受機１００である。料金自動収受機１００は、料金所の車線Ｌの路側に敷設されたアイランドＩ上に設置され、有料道路の利用者、すなわち車両Ａの運転者又は搭乗者の操作を受け付けて、利用料金を自動で収受するための装置である。
【００２２】
図１に示すように、料金自動収受機１００は、カード処理装置１Ａと、ＣＰＵ２と、を備えている。また、料金自動収受機１００の車線Ｌ（図１の＋Ｙ側）を向く筐体前面１０１には、利用者の操作を受け付ける操作パネル１０２が設けられている。利用者は、操作パネル１０２を介して利用料金の支払いに係る各種操作を行う。
【００２３】
カード処理装置１Ａは、カード媒体を読み取るための装置である。カード処理装置１Ａは、操作パネル１０２に開口し、利用者からカード媒体の挿入を受け付けるとともに、利用者へカード媒体を返却（排出）する挿入口１０を有している。
【００２４】
ＣＰＵ２は、料金自動収受機１００全体の動作を司るプロセッサである。なお、本実施形態では、ＣＰＵ２は、カード処理装置１Ａの上位装置として機能する。ＣＰＵ２は、利用者が挿入口１０にカード媒体を挿入すると、カード処理装置１Ａに対し、当該カード媒体に基づく決済処理に関する各種処理を実行するよう制御する。
【００２５】
（カード処理装置の機能構成）
ここで、本実施形態に係るカード処理装置１Ａが処理対象とするカード媒体について説明する。本実施形態では、カード媒体は、ＩＣチップを搭載したカード媒体である「ＥＭＶ−ＩＣカード」、ＩＣチップを搭載したカード媒体である「ＥＭＶ−ＩＣカード以外のＩＣカード」（例えば、ＥＴＣ−ＩＣカード）、ＩＣチップを搭載しないカード媒体である「おもて面磁気ストライプカード」の三つの種別があるとする。
【００２６】
ＩＣチップを搭載したカード媒体は、カード媒体の裏面に磁気ストライプを有する。そして、ＥＭＶ−ＩＣカードでは、ＪＩＳ規格であるＩＤ−１（旧ＪＩＳ−Ｉ）によって第２トラックが規定されている。また、おもて面磁気ストライプカードは、表面に磁気ストライプを有する。そして、おもて面磁気ストライプカードは、規格である旧ＪＩＳ−ＩＩによって規定されている。
【００２７】
ＩＣチップを搭載するカード媒体が有する磁気ストライプは、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）、ＪＩＳ（Ｊａｐａｎｅｓｅ  Ｉｎｄｕｓｔｒｉａｌ  Ｓｔａｎｄａｒｄｓ）などで規格化されている。具体的には、磁気ストライプとして、第１トラックと第２トラックの２つのトラックを含むものと、第１トラック、第２トラック、第３トラックの３つのトラックを含むものが存在する。
【００２８】
第１トラックの規格は、国際航空運送協会（Ｉｎｔｅｒｎａｔｉｏｎａｌ  Ａｉｒ  Ｔｒａｎｓｐｏｒｔ  Ａｓｓｏｃｉａｔｉｏｎ、ＩＡＴＡ）によって策定された規格である。第２トラックの規格は、アメリカの銀行業界団体（米国銀行協会、Ａｍｅｒｉｃａｎ  Ｂａｎｋｅｒｓ  Ａｓｓｏｃｉａｔｉｏｎ、ＡＢＡ）によって策定された。第３トラックの規格は、アメリカの年金業界によって策定された規格である。また、第３トラックの規格は、欧州のユーロ規格である。第１トラックには、氏名の情報などが記録されている。第２トラックには、クレジットカードであることを示すカード番号（すなわち、クレジットカードであることを示す特有の数字の配列パターン）などの情報が記録されている。第３トラックは、主に米国の年金業界に関連する情報、または、ユーロカードの情報である。つまり、カード媒体がクレジットカードである場合、磁気ストライプの第２トラックには、クレジットカードであることを示すカード番号（すなわち、ＥＭＶ−ＩＣカードである可能性の高いことを示す特有の数字の配列パターン）が含まれている。
【００２９】
図２は、第１の実施形態に係るカード処理装置の断面図である。
図２に示すように、カード処理装置１Ａは、挿入口１０と、カード検出部１１と、入口搬送路１２と、磁気読取部１３と、振分機構１４と、第１搬送路１５ａと、第２搬送路１５ｂと、第１カードリーダユニット１６と、第２カードリーダユニット１７と、制御部１９と、を備えている。
【００３０】
挿入口１０は、料金自動収受機１００の筐体前面１０１に開口するように一つのみ設けられている。利用者は、クレジットカードによる利用料金の支払いを希望する場合、カード媒体Ｃを挿入口１０に挿入する。また、カード処理装置１Ａによる処理が終了すると、カード媒体Ｃは挿入口１０から料金自動収受機１００の筐体外に排出されて利用者に返却される。
【００３１】
カード検出部１１は、挿入口１０のカード媒体Ｃの挿入方向における下流側（−Ｙ側）に配置され、カード処理装置１Ａの内部にカード媒体Ｃが挿入されたことを検出する。
【００３２】
入口搬送路１２は、挿入口１０のカード媒体Ｃの挿入方向における下流側（−Ｙ側）に配置され、挿入されたカード媒体Ｃを所定位置に搬送する。例えば、図２に示すように、入口搬送路１２はモータで駆動するローラと、ベルトとにより構成され、モータでローラを回転させてベルトを移動させることにより、ベルトの上面に載置されたカード媒体Ｃを下流側（−Ｙ側）又は上流側（＋Ｙ側）に向かって搬送する。
【００３３】
磁気読取部１３は、挿入口１０のカード媒体Ｃの挿入方向における下流側（−Ｙ側）に配置され、入口搬送路１２で搬送されるカード媒体Ｃの磁気ストライプに記録されている情報を読み取る。本実施形態に係る磁気読取部１３は、カード媒体Ｃのおもて面側（＋Ｚ側）に配置された磁気読取部１３ａと、カード媒体Ｃの裏面側（−Ｚ側）に配置された磁気読取部１３ｂとにより構成される。
【００３４】
磁気読取部１３ａは、おもて面磁気ストライプカードであるカード媒体Ｃの磁気ストライプに記録されている情報を読み取る。磁気読取部１３ｂは、ＩＣチップを搭載したカード媒体Ｃ、すなわち、ＥＭＶ−ＩＣカード及びＥＭＶ−ＩＣカード以外のＩＣカードの磁気ストライプに記録されている情報を読み取る。磁気読取部１３ａ、１３ｂは、磁気ストライプから読み取った情報を制御部１９に出力する。以下、磁気読取部１３ａ、１３ｂが読み取った情報を「磁気読取情報」と呼ぶ。
【００３５】
振分機構１４は、磁気読取部１３のカード媒体Ｃの挿入方向における下流側（−Ｙ側）に配置され、磁気ストライプから読み取られた磁気読取情報に応じてカード媒体Ｃを第１搬送路１５ａ又は第２搬送路１５ｂに振り分ける。また、振分機構１４は、回転板１４１と、駆動部１４３と、搬送ローラ１４４ａ、１４４ｂとを有している。
【００３６】
図３は、図２のＩＩＩ部拡大図である。
図３に示すように、回転板１４１は、挿入口１０側（＋Ｙ側）の第１端部１４１ａが固定され、下流側（−Ｙ側）の第２端部１４１ｂが第１搬送路１５ａと第２搬送路１５ｂとの間で移動可能とされる。具体的には、第１端部１４１ａに軸１４２が挿通されており、上面１４１ｃにカード媒体Ｃが載置された状態で、軸１４２を中心に回転することにより、第２端部１４１ｂを回転方向Ｒに沿って移動可能とする。これにより、回転板１４１の第２端部１４１ｂは、第１搬送路１５ａ又は第２搬送路１５ｂと接続される。
【００３７】
駆動部１４３は、回転板１４１を回転させるためのアクチュエータである。図３に示すように、駆動部１４３は、後述の制御部１９からの制御により、回転板１４１の第２端部１４１ｂが第１搬送路１５ａの配置高さに一致する第１位置Ｐ１（図３の実線で示される位置）、又は、第２搬送路１５ｂの配置高さに一致する第２位置Ｐ２（図３の破線で示される位置）に移動するように、回転板１４１を回転させる。なお、本実施形態では、回転板１４１の初期位置は第１位置Ｐ１に設定される。
【００３８】
搬送ローラ１４４ａ、１４４ｂは、回転板１４１の上面１４１ｃに載置されたカード媒体Ｃを下流側（−Ｙ側）又は上流側（＋Ｙ側）に移動させる。搬送ローラ１４４ａは、第１位置Ｐ１における回転板１４１の上面１４１ｃに略一致する高さに配置され、カード媒体Ｃを回転板１４１と第１搬送路１５ａとの間で搬送する。搬送ローラ１４４ｂは、第２位置Ｐ２における回転板１４１の上面１４１ｃよりも上側（＋Ｚ側）に配置される。搬送ローラ１４４ｂは、回転板１４１の上面１４１ｃとの間にカード媒体Ｃを挟み込んで回転し、回転板１４１と第２搬送路１５ｂとの間でカード媒体Ｃを搬送する。
【００３９】
第１搬送路１５ａは、振分機構１４の下流側（−Ｙ側）に配置され、入口搬送路１２と同様の構成により、振分機構１４と第１カードリーダユニット１６内部の所定位置との間でカード媒体Ｃを搬送する。図２に示すように、第１搬送路１５ａは、挿入口１０、入口搬送路１２、及び第１位置Ｐ１における振分機構１４の回転板１４１と、高さ方向（±Ｚ方向）における位置を一致させて配置される。したがって、入口搬送路１２、振分機構１４（第１位置Ｐ１における回転板１４１）、及び第１搬送路１５ａは、水平方向（±Ｙ方向）に直線状に配列される。このため、挿入口１０から第１搬送路１５ａまでの経路は、重力による影響を受けにくいので、カード媒体Ｃを搬送する際の制御が複雑となることを抑制できる。また、第１搬送路１５ａの上部には、図２に示すようにカード媒体Ｃを搬送させるための搬送ローラ１５１ａが更に設けられていてもよい。
【００４０】
第２搬送路１５ｂは、図２に示すように、振分機構１４の下流側（−Ｙ側）に配置され、入口搬送路１２及び第１搬送路１５ａと同様の構成により、振分機構１４と第２カードリーダユニット１７内部の所定位置との間でカード媒体Ｃを搬送する。また、第２搬送路１５ｂは第１搬送路１５ａと異なる高さに配置される。
【００４１】
例えば、本実施形態では、図２に示すように、第２搬送路１５ｂは第１搬送路１５ａの鉛直方向の上側（＋Ｚ側）に配置される。図２の例では、第２搬送路１５ｂは、振分機構１４の第２位置における回転板１４１と直線状に配列されるように、傾斜して配置される。また、第２搬送路１５ｂの上部には、図２に示すようにカード媒体Ｃを搬送させるための搬送ローラ１５１ｂが更に設けられていてもよい。
【００４２】
第１カードリーダユニット１６は、図２に示すように、第１搬送路１５ａに配置される。第１カードリーダユニット１６は、カード媒体Ｃに搭載されているＩＣチップに接触可能なＩＣコンタクト１６１を有している。第１カードリーダユニット１６は、内部の所定位置にカード媒体Ｃが搬送されると、ＩＣコンタクト１６１をカード媒体Ｃに接近させてＩＣチップに接触させる。第１カードリーダユニット１６は、このＩＣコンタクト１６１を介して、第１決済アプリケーションに基づいてカード媒体Ｃに搭載されたＩＣチップを読み取り可能とする。
【００４３】
なお、本実施形態に係る第１カードリーダユニット１６は、例えばＥＭＶ−ＩＣカードを読み取り可能なカードリーダユニットである。また、第１決済アプリケーションは、ＩＣチップに予め記録された複数種類のアプリケーション形式のうちの一つであり、本実施形態ではＥＭＶ−ＩＣカードに基づいて決済処理を行うための各種プログラムが含まれている。
【００４４】
第２カードリーダユニット１７は、図２に示すように、第２搬送路１５ｂに配置される。第２カードリーダユニット１７は、カード媒体Ｃに搭載されているＩＣチップに接触可能なＩＣコンタクト１７１を有している。第２カードリーダユニット１７は、内部の所定位置にカード媒体Ｃが搬送されると、ＩＣコンタクト１７１をカード媒体Ｃに接近させてＩＣチップに接触させる。第２カードリーダユニット１７は、このＩＣコンタクト１７１を介して、第２決済アプリケーションに基づいてカード媒体Ｃに搭載されたＩＣチップを読み取り可能とする。
【００４５】
なお、本実施形態に係る第２カードリーダユニット１７は、例えばＥＭＶ−ＩＣカード以外のＩＣカードを読み取り可能なカードリーダユニットである。また、第２決済アプリケーションは、ＩＣチップに予め記録された複数種類のアプリケーション形式のうちの一つであり、本実施形態ではＥＭＶ−ＩＣカード以外のＩＣカード（例えばＥＴＣ−ＩＣカード）に基づいて決済処理を行うための各種プログラムが含まれている。以下、第１カードリーダユニット１６又は第２カードリーダユニット１７が読み取った情報を「ＩＣチップ読取情報」と呼ぶ。
【００４６】
図４は、第１の実施形態に係るカード処理装置の制御部の機能構成を示す図である。
図４に示すように、カード処理装置１Ａの制御部１９は、通信線ＬＮを介して料金自動収受機１００のＣＰＵ２と接続される。また、制御部１９は、磁気ストライプ処理部１９０と、種別判定部１９１と、搬送制御部１９２と、ＩＣチップ処理部１９３と、通信部１９４と、記憶部１９５と、を有している。
【００４７】
磁気ストライプ処理部１９０は、磁気読取部１３が読み取った磁気読取情報を取得して、記憶部１９５に記憶する。また、磁気ストライプ処理部１９０は、ＩＣカードに基づく決済処理ができなかった場合、取得した磁気読取情報を料金自動収受機１００のＣＰＵ２に出力する。
【００４８】
種別判定部１９１は、磁気ストライプ処理部１９０が取得した磁気読取情報に基づいて、挿入されたカード媒体Ｃの種別を判定する。上述のように、カード媒体ＣがＥＭＶ−ＩＣカードである場合、磁気ストライプの第２トラックには、クレジットカードであることを示すカード番号（すなわち、ＥＭＶ−ＩＣカードである可能性の高いことを示す特有の数字の配列パターン）が含まれている。したがって、種別判定部１９１は、磁気読取部１３ｂが読み取った磁気読取情報が、所定の配列パターンに一致する数字の配列を含んでいる場合、読取対象のカード媒体ＣはＥＭＶ−ＩＣカードであると判定する。一方、種別判定部１９１は、磁気読取部１３ｂが読み取った磁気読取情報が、所定の配列パターンに一致する数字の配列を含んでいない場合、読取対象のカード媒体ＣはＥＭＶ−ＩＣカード以外のＩＣカードであると判定する。種別判定部１９１は、この判定結果を料金自動収受機１００のＣＰＵ２に出力する。
【００４９】
搬送制御部１９２は、入口搬送路１２、振分機構１４、第１搬送路１５ａ、及び第２搬送路１５ｂに対し、カード媒体Ｃを下流側（図２の−Ｙ側）又は上流側（図２の＋Ｙ側）に搬送させるよう制御する。例えば、搬送制御部１９２は、カード検出部１１がカード媒体Ｃの挿入を検出すると、入口搬送路１２にカード媒体Ｃを所定位置まで搬送するように指示する。また、搬送制御部１９２は、種別判定部１９１が判定したカード媒体Ｃの種別に応じて、振分機構１４を制御する。挿入されたカード媒体ＣがＥＭＶ−ＩＣカードであると判定された場合、搬送制御部１９２は、振分機構１４に対し、カード媒体Ｃを第１搬送路１５ａに搬送するように指示する。一方、挿入されたカード媒体ＣがＥＭＶ−ＩＣカード以外のＩＣカードであると判定された場合、搬送制御部１９２は、振分機構１４に対し、カード媒体Ｃを第２搬送路１５ｂに搬送するように指示する。また、搬送制御部１９２は、第１搬送路１５ａ及び第２搬送路１５ｂに対し、カード媒体Ｃを所定位置に搬送するように指示する。なお、搬送制御部１９２は、カード媒体Ｃを返却する際には、各部に対しカード媒体Ｃを上流側（図２の＋Ｙ側）に搬送し、挿入口１０から排出されるように指示する。
【００５０】
ＩＣチップ処理部１９３は、料金自動収受機１００のＣＰＵ２からカード媒体の種別に応じて出力された指令に基づいて、第１カードリーダユニット１６及び第２カードリーダユニット１７が行う処理を制御する。例えば、ＩＣチップ処理部１９３は、第１カードリーダユニット１６及び第２カードリーダユニット１７にＩＣチップの読み取りを行わせて、ＩＣチップ読取情報を取得する。また、ＩＣチップ処理部１９３は、取得したＩＣチップ読取情報を料金自動収受機１００のＣＰＵ２に出力する。
【００５１】
通信部１９４は、通信線ＬＮを介して料金自動収受機１００のＣＰＵ２と各種情報及び指令の送受信を行う。
【００５２】
記憶部１９５には、制御部１９における各種処理において生成、取得した情報（例えば、磁気読取部１３が読み取った磁気読取情報等）が記憶される。また、記憶部１９５には、ＥＭＶ−ＩＣカードである可能性の高いことを示す特有の数字の配列パターンを示す参照データが予め記憶されていてもよい。
【００５３】
（カード処理装置の処理）
図５は、第１の実施形態に係るカード処理装置の処理の一例を示すフローチャートである。
以下、図５を参照しながら、カード処理装置１Ａの処理の流れについて説明する。
【００５４】
図５に示すように、まず、カード処理装置１Ａのカード検出部１１は、利用者がカード媒体Ｃを挿入口１０から挿入したことを検出する（ステップＳ１０）。そうすると、入口搬送路１２は、カード媒体Ｃを下流側（図２の−Ｙ側）の振分機構１４に向かって搬送する。
【００５５】
そうすると、磁気読取部１３は、カード媒体Ｃが振分機構１４まで搬送される間、カード媒体Ｃの磁気ストライプに記録されている情報を読み取る（ステップＳ１１）。なお、カード媒体ＣがＩＣチップを搭載したカード媒体である場合には、磁気読取部１３ｂがカード媒体Ｃの裏面の磁気ストライプに記録されている情報を読み取る。また、カード媒体Ｃがおもて面磁気ストライプカードである場合には、磁気読取部１３ａがカード媒体Ｃのおもて面の磁気ストライプに記録されている情報を読み取る。磁気読取部１３は、読み取った磁気読取情報を制御部１９に出力する。
【００５６】
次に、制御部１９の種別判定部１９１は、挿入されたカード媒体Ｃに搭載されたＩＣチップ内の情報を読み取る前に、当該カード媒体Ｃの種別を判定する。具体的には、種別判定部１９１は、磁気読取部１３から出力された磁気読取情報に基づいて、当該カード媒体ＣがＥＭＶ−ＩＣカードであるか否かを判定する（ステップＳ１２）。
【００５７】
例えば、種別判定部１９１は、磁気読取部１３が読み取った磁気読取情報（磁気ストライプにおける第２トラックに記録されている情報）がＥＭＶ−ＩＣカードの所定の配列パターンに一致する数字の配列を含んでいる場合、当該カード媒体ＣはＥＭＶ−ＩＣカードであると判定する（ステップＳ１２：ＹＥＳ）。このとき、種別判定部１９１は、挿入されたカード媒体ＣがＥＭＶ−ＩＣカードであると判定したことを示す判定結果を料金自動収受機１００のＣＰＵ２に出力する。
【００５８】
また、カード媒体ＣがＥＭＶ−ＩＣカードであると判定された場合（ステップＳ１２：ＹＥＳ）、制御部１９の搬送制御部１９２は、振分機構１４に対しカード媒体Ｃを第１搬送路１５ａに振り分けるよう指示する（ステップＳ１３）。なお、本実施形態では回転板１４１の初期位置は第１位置Ｐ１（図３）に設定されているので、振分機構１４は回転板１４１を初期位置のまま移動させない制御を行う。また、振分機構１４は、カード媒体Ｃが回転板１４１の上面１４１ｃに載置された状態で搬送ローラ１４４ａを制御して、カード媒体Ｃを振分機構１４から下流側（図２の−Ｙ側）の第１搬送路１５ａへ搬送させる。このとき、振分機構１４の回転板１４１、及び第１搬送路１５ａは水平方向（図２の±Ｙ方向）に直線状に配列されることとなる。このため、振分機構１４は、カード媒体Ｃを第１搬送路１５ａに向かって水平に移動させるのみであるため、重力等の影響を受けずに、スムーズにカード媒体Ｃを搬送することができる。
【００５９】
第１搬送路１５ａは、振分機構１４から搬送されたカード媒体Ｃを、上部に設けられた搬送ローラ１５１ａにより更に第１カードリーダユニット１６内部の所定位置まで搬送する。そうすると、制御部１９のＩＣチップ処理部１９３は、料金自動収受機１００のＣＰＵ２からの指令にしたがい、ＥＭＶ−ＩＣカード用の第１決済アプリケーションに基づく決済処理を実行する（ステップＳ１４）。例えば、ＩＣチップ処理部１９３は、第１カードリーダユニット１６に対し、カード媒体Ｃに搭載されたＩＣチップから第１決済アプリケーションを選択し、この第１決済アプリケーションに基づいて、カード媒体Ｃに搭載されたＩＣチップから決済処理に必要な各種情報を読み取るように指示する。そうすると、第１カードリーダユニット１６は、ＩＣコンタクト１６１をＩＣチップに接触するまで鉛直方向の下側（図２の−Ｚ側）に移動させて、このＩＣコンタクト１６１を介してＩＣチップから指定された情報を読み取る。また、ＩＣチップ処理部１９３は、第１カードリーダユニット１６が読み取ったＩＣチップ読取情報を、通信部１９４を介して料金自動収受機１００のＣＰＵ２に出力する。
【００６０】
一方、種別判定部１９１は、磁気読取部１３が読み取った磁気読取情報（磁気ストライプにおける第２トラックに記録されている情報）がＥＭＶ−ＩＣカードの所定の配列パターンに一致する数字の配列を含んでいない場合、当該カード媒体ＣはＥＭＶ−ＩＣカード以外のＩＣカードであると判定する（ステップＳ１２：ＮＯ）。このとき、種別判定部１９１は、挿入されたカード媒体ＣがＥＭＶ−ＩＣカード以外のＩＣカードであると判定したことを示す判定結果を料金自動収受機１００のＣＰＵ２に出力する。
【００６１】
また、カード媒体ＣがＥＭＶ−ＩＣカード以外のＩＣカードであると判定された場合（ステップＳ１２：ＮＯ）、制御部１９の搬送制御部１９２は、振分機構１４に対しカード媒体Ｃを第２搬送路１５ｂに振り分けるよう指示する（ステップＳ１５）。この場合、振分機構１４は、カード媒体Ｃが回転板１４１の上面１４１ｃに載置された状態で、駆動部１４３により回転板１４１を回転させて、回転板１４１の第２端部１４１ｂが第２位置Ｐ２（図３）に移動するように制御を行う。また、振分機構１４は、回転板１４１の回転が完了すると、搬送ローラ１４４ｂを制御して、カード媒体Ｃを振分機構１４から下流側（図２の−Ｙ側）の第２搬送路１５ｂへ搬送させる。なお、回転板１４１を移動中にカード媒体Ｃが回転板１４１から滑り落ちてしまわないように、回転板１４１の上面１４１ｃに搬送ローラ１４４ｂによる搬送を阻害しない程度の滑り止めの加工がされていてもよい。更に、入口搬送路１２の下流側（−Ｙ側）の端部と、搬送ローラ１４４ｂまでの直線距離は、カード媒体Ｃの長手方向（搬送方向）の長さよりも短く設定されていてもよい。このようにすることで、カード媒体Ｃが回転板１４１の上面１４１ｃから滑り落ちてしまった場合であっても、カード媒体Ｃの上流側（＋Ｙ側）の端部が入口搬送路１２により留められる。この状態で回転板１４１が第２位置Ｐ２まで移動を完了すると、カード媒体Ｃは回転板１４１の上面１４１ｃと搬送ローラ１４４ｂとの間に位置することができるので、搬送ローラ１４４ｂにより搬送されることが可能となる。
【００６２】
なお、例えば第２搬送路を鉛直方向の下側（図２の−Ｚ側）に配置すると、カード媒体を回転板から第２搬送路へ移動させる際に、カード媒体の下流側の端部が第２搬送路に衝突する可能性がある。そうすると、カード媒体のスムーズな移動が困難になり、また、カード媒体が湾曲する等の影響が生じる。また、カード媒体を返却する際に、第２搬送路から振分機構に移動させるときも同様の影響が生じる可能性がある。このため、第２搬送路を鉛直方向の下側に配置した場合は、このようなカード媒体の衝突、湾曲等を抑制するための複雑な制御が要求される。しかしながら、本実施形態では、図２に示すように、第２搬送路１５ｂを鉛直方向の上側（図２の＋Ｚ側）に配置しているので、図２に示すように、回転板１４１、及び第２搬送路１５ｂが直線状に配列されることとなる。そうすると、カード媒体Ｃは、回転板１４１から第２搬送路１５ｂへ移動する際、第２搬送路１５ｂに衝突することがない。これにより、振分機構１４は、複雑な制御を行うことなく、カード媒体Ｃの衝突、湾曲等を防止して、スムーズに第２搬送路１５ｂへ搬送することができる。
【００６３】
第２搬送路１５ｂは、振分機構１４から搬送されたカード媒体Ｃを、上部に設けられた搬送ローラ１５１ｂにより、更に第２カードリーダユニット１７内部の所定位置まで搬送する。そうすると、制御部１９のＩＣチップ処理部１９３は、料金自動収受機１００のＣＰＵ２からの指令にしたがい、ＥＭＶ−ＩＣカード以外のＩＣカード用の第２決済アプリケーションに基づく決済処理を実行する（ステップＳ１６）。例えば、ＩＣチップ処理部１９３は、第２カードリーダユニット１７に対し、カード媒体Ｃに搭載されたＩＣチップから第２決済アプリケーションを選択し、この第２決済アプリケーションに基づいて、カード媒体Ｃに搭載されたＩＣチップから決済処理に必要な各種情報を読み取るように指示する。そうすると、第２カードリーダユニット１７は、ＩＣコンタクト１７１をＩＣチップに接触するまで鉛直方向の下側（図２の−Ｚ側）に移動させて、このＩＣコンタクト１７１を介してＩＣチップから指定された情報を読み取る。また、ＩＣチップ処理部１９３は、第２カードリーダユニット１７が読み取ったＩＣチップ読取情報を、通信部１９４を介して料金自動収受機１００のＣＰＵ２に出力する。
【００６４】
次に、ＩＣチップ処理部１９３は、決済処理が成功したか否かを判断する（ステップＳ１７）。例えば、第１カードリーダユニット１６又は第２カードリーダユニット１７から決済処理に必要な各種情報が正しく読み取られ、料金自動収受機１００のＣＰＵ２において決済処理が完了すると、ＣＰＵ２からカード処理装置１Ａの制御部１９にカード媒体Ｃを排出する指令が出力される。制御部１９の搬送制御部１９２及びＩＣチップ処理部１９３は、このカード媒体Ｃの排出指令を受信すると、決済処理が完了したと判断する（ステップＳ１７：ＹＥＳ）。
【００６５】
このとき、ＩＣチップ処理部１９３は、例えばカード媒体Ｃが第１カードリーダユニット１６内部にある場合、第１カードリーダユニット１６にカード処理終了を通知する。そうすると、第１カードリーダユニット１６はＩＣコンタクト１６１を鉛直方向の上側（＋Ｚ側）に移動させてＩＣチップと非接触の状態とし、カード媒体Ｃを移動可能な状態にする。ＩＣチップ処理部１９３は、カード媒体Ｃが第２カードリーダユニット１７内部にある場合、第２カードリーダユニット１７についても同様の処理を行う。
【００６６】
また、搬送制御部１９２は、カード媒体Ｃの排出を行う（ステップＳ１９）。具体的には、搬送制御部１９２は、第１搬送路１５ａ、第２搬送路１５ｂ、振分機構１４、及び入口搬送路１２を制御し、カード媒体Ｃを上流側（図２の＋Ｙ側）に搬送させる。なお、このとき、振分機構１４は、回転板１４１が第２位置Ｐ２（図３）にある場合、カード媒体Ｃが回転板１４１の上面１４１ｃに載置されると、回転板１４１を回転させて第１位置Ｐ１（図３）に移動させる。その後、振分機構１４は、搬送ローラ１４４ａによりカード媒体Ｃを入口搬送路１２に搬送する。入口搬送路１２は、カード媒体Ｃを挿入口１０から排出する。
【００６７】
一方、第１カードリーダユニット１６又は第２カードリーダユニット１７から決済処理に必要な各種情報が正しく読み取られず、料金自動収受機１００のＣＰＵ２において決済処理が失敗すると、ＣＰＵ２からカード処理装置１Ａの制御部１９に、おもて面磁気ストライプカードに基づく決済処理を行う指令が出力される。この指令を受信すると、制御部１９の磁気ストライプ処理部１９０は決済処理が失敗したと判断し（ステップＳ１７：ＮＯ）し、料金自動収受機１００のＣＰＵ２からの指令にしたがい、おもて面磁気ストライプカードに基づく決済処理に関連する各種処理を実行する（ステップＳ１８）。例えば、磁気ストライプ処理部１９０は、ステップＳ１１において読み取った磁気読取情報を記憶部１９５から読み出して、通信部１９４を介して料金自動収受機１００のＣＰＵ２に出力する。
【００６８】
料金自動収受機１００のＣＰＵ２の指令に基づく決済処理が完了すると、搬送制御部１９２は、カード媒体Ｃを利用者に返却する（ステップＳ１９）。
【００６９】
（作用効果）
以上のように、本実施形態に係るカード処理装置１Ａは、カード媒体Ｃが挿入される一つの挿入口１０と、挿入口１０のカード媒体Ｃの挿入方向における下流側に配置され、磁気ストライプに記憶された情報を読み取る磁気読取部１３と、磁気読取部１３のカード媒体Ｃの挿入方向における下流側に配置され、磁気ストライプから読み取られた情報に応じてカード媒体Ｃを第１搬送路１５ａ又は第２搬送路１５ｂに振り分ける振分機構１４と、第１搬送路１５ａに配置され、第１決済アプリケーションに基づいてＩＣチップを読み取り可能とする第１カードリーダユニット１６と、第２搬送路１５ｂに配置され、第２決済アプリケーションに基づいてＩＣチップを読み取り可能とする第２カードリーダユニット１７と、を備える。
このようにすることで、カード処理装置１Ａは、一つの挿入口１０に挿入されたカード媒体Ｃの磁気ストライプから読み取った情報に基づいて、カード媒体Ｃを種別に応じた適切なカードリーダユニットに搬送することができる。これにより、カード処理装置１Ａは、利用者がカード媒体Ｃに応じて挿入口を選択する必要がないので、処理できないカード媒体Ｃを誤って挿入されたカードリーダユニットが処理を失敗する頻度や、利用者がカード媒体Ｃの再挿入を行う頻度を低減させることができる。また、挿入口１０は一つのみであるので、利用者がカード媒体Ｃを挿入する場所を探す時間を短縮することができる。この結果、カード処理装置１Ａは、決済処理に要するサービスタイムが増加することを抑制できる。
【００７０】
また、振分機構１４は、挿入口１０側の第１端部１４１ａが固定され、下流側の第２端部１４１ｂを第１搬送路１５ａと第２搬送路１５ｂとの間で移動可能とする回転板１４１を有し、回転板１４１の上面１４１ｃにカード媒体Ｃが載置された状態で、回転板１４１を移動させて第２端部１４１ｂを第１搬送路１５ａ又は第２搬送路１５ｂに接続させる。
このようにすることで、カード処理装置１Ａは、回転板１４１を回転させる簡易な構成でカード媒体Ｃを第１搬送路１５ａ又は第２搬送路１５ｂに振り分けることができる。
【００７１】
また、第１搬送路１５ａ及び第２搬送路１５ｂは異なる高さに設けられる。振分機構１４は、回転板１４１の第２端部１４１ｂを第１搬送路１５ａ又は第２搬送路１５ｂの高さに一致するように移動させる。
このようにすることで、カード処理装置１Ａは、第１カードリーダユニット１６及び第２カードリーダユニット１７を例えば上下方向に並べて配置することができるので、カード処理装置１Ａの挿入口１０から下流側端までのサイズをコンパクトにすることができる。
【００７２】
また、第１搬送路１５ａは、挿入口１０と一致する高さに設けられ、第２搬送路１５ｂは、第１搬送路１５ａの鉛直方向の上側に設けられる。
このようにすることで、カード処理装置１Ａは、挿入口１０から第１搬送路１５ａまでの経路は水平方向に直線状となるので、搬送するカード媒体Ｃに重力等の影響を生じさせにくく、カード媒体Ｃの搬送に係る制御が複雑化することを抑制できる。また、挿入口１０から第２搬送路１５ｂまでは鉛直方向の上側に向かう経路となるが、上記説明したとおり、鉛直方向の下側に向かう経路とするよりも、カード媒体Ｃが第２搬送路に衝突する等の影響を抑制することができる。
【００７３】
＜第２の実施形態＞
次に、本発明の第２の実施形態に係る料金機械及びカード処理装置について、図６〜図７を参照しながら説明する。
第１の実施形態と共通の構成要素には同一の符号を付して詳細説明を省略する。
【００７４】
（カード処理装置の機能構成）
図６は、第２の実施形態に係るカード処理装置の断面図である。
図６に示すように、本実施形態に係るカード処理装置１Ｂは、第３搬送路１５ｃと、第３カードリーダユニット１８と、を更に備えている。
【００７５】
第３搬送路１５ｃは、第１搬送路１５ａの下流側（−Ｙ側）に配置され、入口搬送路１２と同様の構成により、第１搬送路１５ａと第３カードリーダユニット１８内部の所定位置との間でカード媒体Ｃを搬送する。図６に示すように、第３搬送路１５ｃは、挿入口１０、入口搬送路１２、第１位置Ｐ１における振分機構１４の回転板１４１、及び第１搬送路１５ａと、高さ方向（±Ｚ方向）における位置を一致させて配置される。したがって、入口搬送路１２から第３搬送路１５ｃまでの各構成は、水平方向（±Ｙ方向）に直線状に配列される。このため、挿入口１０から第３搬送路１５ｃまでの経路は、重力による影響を受けにくいので、カード媒体Ｃを搬送する際の制御が複雑となることを抑制できる。また、第３搬送路１５ｃの上部には、図６に示すようにカード媒体Ｃを搬送させるための搬送ローラ１５１ｃが更に設けられていてもよい。
【００７６】
第３カードリーダユニット１８は、図６に示すように、第３搬送路１５ｃに配置される。第３カードリーダユニット１８は、カード媒体Ｃに搭載されているＩＣチップと無線通信を行うためのアンテナ１８１を有している。第３カードリーダユニット１８は、内部の所定位置にカード媒体Ｃが搬送されると、アンテナ１８１を介して無線通信を行うことにより、第３決済アプリケーションに基づいてカード媒体Ｃに搭載されたＩＣチップを読み取り可能とする。
【００７７】
なお、本実施形態に係る第３カードリーダユニット１８は、例えば非接触ＩＣカードを読み取り可能なカードリーダユニットである。したがって、本実施形態では、カード媒体Ｃは、ＩＣチップを搭載したカード媒体である「非接触ＩＣカード」、「ＥＭＶ−ＩＣカード」、及び「ＥＭＶ−ＩＣカード以外のＩＣカード」と、「おもて面磁気ストライプカード」との、四つの種別があるとする。
【００７８】
また、第３決済アプリケーションは、ＩＣチップに予め記録された複数種類のアプリケーション形式のうちの一つであり、本実施形態では非接触ＩＣカードに基づいて決済処理を行うための各種プログラムが含まれている。
【００７９】
（カード処理装置の処理）
図７は、第２の実施形態に係るカード処理装置の処理の一例を示すフローチャートである。
以下、図７を参照しながら、カード処理装置１Ｂの処理の流れについて説明する。なお、図７に示すカード処理装置１Ｂの処理フローは、後述する新規の処理（ステップＳ２０〜Ｓ２３）が含まれる点を除き、図５に示す第１の実施形態に係るカード処理装置１Ａの処理フローと概ね同様である。したがって、図５と同様の処理（ステップＳ１０〜Ｓ１６、Ｓ１８〜Ｓ１９）については説明を省略する。
【００８０】
本実施形態に係るカード処理装置１Ｂの制御部１９では、第１カードリーダユニット１６において第１決済アプリケーションに基づく決済処理（ステップＳ１４）を実行した後、この決済処理が成功したか否かを判断する（ステップＳ２０）。例えば、第１カードリーダユニット１６から決済処理に必要な各種情報が正しく読み取られ、料金自動収受機１００のＣＰＵ２において決済処理が完了すると、ＣＰＵ２からカード処理装置１Ｂの制御部１９に、カード媒体Ｃを排出する指令が出力される。制御部１９の搬送制御部１９２及びＩＣチップ処理部１９３は、このカード媒体Ｃの排出指令を受信すると、第１決済アプリケーションに基づく決済処理が完了したと判断する（ステップＳ２０：ＹＥＳ）。
【００８１】
このとき、ＩＣチップ処理部１９３は、第１カードリーダユニット１６にカード処理終了を通知する。そうすると、第１カードリーダユニット１６はＩＣコンタクト１６１を鉛直方向の上側（＋Ｚ側）に移動させてＩＣチップと非接触の状態とし、カード媒体Ｃを移動可能な状態にする。また、搬送制御部１９２は、カード媒体Ｃの排出を行う（ステップＳ１９）。
【００８２】
一方、第１カードリーダユニット１６から決済処理に必要な各種情報が正しく読み取られず、料金自動収受機１００のＣＰＵ２において決済処理が失敗すると、ＣＰＵ２からカード処理装置１Ｂの制御部１９に、非接触ＩＣカードに基づく決済処理を行う指令が出力される。この指令を受信すると、制御部１９のＩＣチップ処理部１９３は、第１カードリーダユニット１６にカード処理終了を通知する。そうすると、第１カードリーダユニット１６はＩＣコンタクト１６１を鉛直方向の上側（＋Ｚ側）に移動させてＩＣチップと非接触の状態とし、カード媒体Ｃを移動可能な状態にする。また、制御部１９の搬送制御部１９２は、第１搬送路１５ａに対し、カード媒体Ｃを第３搬送路１５ｃに搬送するように指示する（ステップＳ２１）。
【００８３】
第３搬送路１５ｃは、上部に設けられた搬送ローラ１５１ｃにより、第１搬送路１５ａから搬送されたカード媒体Ｃを、更に第３カードリーダユニット１８内部の所定位置まで搬送する。そうすると、制御部１９のＩＣチップ処理部１９３は、料金自動収受機１００のＣＰＵ２からの指令にしたがい、非接触ＩＣカード用の第３決済アプリケーションに基づく決済処理を実行する（ステップＳ２２）。例えば、ＩＣチップ処理部１９３は、第３カードリーダユニット１８に対し、カード媒体Ｃに搭載されたＩＣチップから第３決済アプリケーションを選択し、この第３決済アプリケーションに基づいて、カード媒体Ｃに搭載されたＩＣチップから決済処理に必要な各種情報を読み取るように指示する。そうすると、第３カードリーダユニット１８は、アンテナ１８１を介して無線通信を行うことにより、ＩＣチップから指定された情報を読み取る。また、ＩＣチップ処理部１９３は、第３カードリーダユニット１８が読み取ったＩＣチップ読取情報を、通信部１９４を介して料金自動収受機１００のＣＰＵ２に出力する。
【００８４】
次に、ＩＣチップ処理部１９３は、第２決済アプリケーション又は第３決済アプリケーションに基づく決済処理が成功したか否かを判断する（ステップＳ２３）。例えば、第２カードリーダユニット１７又は第３カードリーダユニット１８から決済処理に必要な各種情報が正しく読み取られ、料金自動収受機１００のＣＰＵ２において決済処理が完了すると、ＣＰＵ２からカード処理装置１Ｂの制御部１９にカード媒体Ｃを排出する指令が出力される。制御部１９の搬送制御部１９２及びＩＣチップ処理部１９３は、このカード媒体Ｃの排出指令を受信すると、第２決済アプリケーション又は第３決済アプリケーションに基づく決済処理が完了したと判断する（ステップＳ２３：ＹＥＳ）。
【００８５】
このとき、ＩＣチップ処理部１９３は、例えばカード媒体Ｃが第３カードリーダユニット１８内部にある場合、第３カードリーダユニット１８にカード処理終了を通知する。そうすると、第３カードリーダユニット１８はアンテナ１８１を介した無線通信を終了して、カード媒体Ｃを移動可能な状態にする。ＩＣチップ処理部１９３は、カード媒体Ｃが第２カードリーダユニット１７内部にある場合、同様に第２カードリーダユニット１７にカード処理終了を通知する。そうすると、第２カードリーダユニット１７はＩＣコンタクト１７１を鉛直方向の上側（＋Ｚ側）に移動させてＩＣチップと非接触の状態とし、カード媒体Ｃを移動可能な状態にする。また、搬送制御部１９２は、カード媒体Ｃの排出を行う（ステップＳ１９）。
【００８６】
一方、第２カードリーダユニット１７又は第３カードリーダユニット１８から決済処理に必要な各種情報が正しく読み取られず、料金自動収受機１００のＣＰＵ２において決済処理が失敗すると、ＣＰＵ２からカード処理装置１Ｂの制御部１９に、おもて面磁気ストライプカードに基づく決済処理を行う指令が出力される。この指令を受信すると、制御部１９の磁気ストライプ処理部１９０は決済処理が失敗したと判断し（ステップＳ２３：ＮＯ）し、料金自動収受機１００のＣＰＵ２からの指令にしたがい、おもて面磁気ストライプカードに基づく決済処理に関連する各種処理を実行する（ステップＳ１８）。以降の処理は第１の実施形態と同様である。
【００８７】
（作用効果）
以上のように、本実施形態に係るカード処理装置１Ｂは、第１搬送路１５ａのカード媒体Ｃの挿入方向における下流側の第３搬送路１５ｃに配置され、第３決済アプリケーションに基づいてＩＣチップを読み取り可能とする第３カードリーダユニット１８を更に備える。
このようにすることで、カード処理装置１Ｂは、第１カードリーダユニット１６で処理できないカード媒体Ｃを、第３カードリーダユニット１８で処理することができる。
【００８８】
なお、図６には、第３搬送路１５ｃ及び第３カードリーダユニット１８が第１搬送路１５ａの下流側に配置される例が示されているが、これに限られることはない。第３搬送路１５ｃ及び第３カードリーダユニット１８は、第２搬送路１５ｂの下流側に配置されてもよいし、第１搬送路１５ａ及び第２搬送路１５ｂの双方の下流側に一台ずつ配置されてもよい。
【００８９】
（ハードウェア構成）
図８は、少なくとも一の実施形態に係るカード処理装置のハードウェア構成の一例を示す図である。
以下、図８を参照しながら、上述の少なくとも一の実施形態に係るカード処理装置１Ａ，１Ｂのハードウェア構成について説明する。
【００９０】
コンピュータ９００は、ＣＰＵ９０１、主記憶装置９０２、補助記憶装置９０３、インタフェース９０４を備える。
【００９１】
上述のカード処理装置１Ａ，１Ｂは、それぞれコンピュータ９００に実装される。そして、上述したカード処理装置１Ａ，１Ｂの各部の動作は、プログラムの形式でそれぞれのコンピュータ９００が有する補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、処理に伴い取得、生成した各種情報を記憶するための記憶領域（記憶部１９５）を主記憶装置９０２に確保する。また、ＣＰＵ９０１は、プログラムに従って、処理中のデータを記憶する記憶領域を補助記憶装置９０３に確保する。
【００９２】
なお、コンピュータ９００は、インタフェース９０４を介して、外部記憶装置９１０と接続されており、上記記憶領域は、外部記憶装置９１０に確保されてもよい。
【００９３】
なお、少なくとも一つの実施形態において、補助記憶装置９０３は、一時的でない有形の媒体の一例である。一時的でない有形の媒体の他の例としては、インタフェース９０４を介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータ９００に配信される場合、配信を受けたコンピュータ９００が当該プログラムを主記憶装置９０２に展開し、上記処理を実行しても良い。
【００９４】
また、当該プログラムは、前述した機能の一部を実現するためのものであっても良い。さらに、当該プログラムは、前述した機能を補助記憶装置９０３に既に記憶されている他のプログラムとの組み合わせで実現するもの、いわゆる差分ファイル（差分プログラム）であっても良い。
【００９５】
以上、本発明の実施形態について詳細に説明したが、本発明の技術的思想を逸脱しない限り、これらに限定されることはなく、多少の設計変更等も可能である。
【００９６】
例えば、上述の各実施形態において、料金機械が料金自動収受機１００である例について説明したが、これに限られることはない。他の実施形態では、料金機械は、利用者から利用料金を収受する収受員が操作する料金収受機械であってもよい。
【００９７】
また、上述の各実施形態において、第１カードリーダユニット１６はＥＭＶ−ＩＣカードを読み取り可能なカードリーダユニットであり、第２カードリーダユニット１７はＥＭＶ−ＩＣカード以外のＩＣカードを読み取り可能なカードリーダユニットであり、第３カードリーダユニット１８は非接触ＩＣカードを読み取り可能なカードリーダユニットである例について説明したが、これに限られることはない。他の実施形態では、第１カードリーダユニット１６は、ＥＭＶ−ＩＣカード以外のＩＣカード、又は非接触ＩＣカードを読み取り可能なカードリーダユニットであってもよい。第２カードリーダユニット１７は、ＥＭＶ−ＩＣカード、又は非接触ＩＣカードを読み取り可能なカードリーダユニットであってもよい。第３カードリーダユニット１８は、ＥＭＶ−ＩＣカード、又はＥＭＶ−ＩＣカード以外のＩＣカードを読み取り可能なカードリーダユニットであってもよい。料金自動収受機１００で利用頻度の高いカード媒体に応じて、これらの順番を任意に入れ替えることが可能である。
【００９８】
また、上述の実施形態では、磁気読取部１３が挿入口１０の下流側（入口搬送路１２上）に配置され、この磁気読取部１３によりカード媒体Ｃの磁気ストライプを読み取る構成について説明したが、これに限られることはない。他の実施形態では、第１カードリーダユニット１６、第２カードリーダユニット１７、及び第３カードリーダユニット１８それぞれがカード媒体Ｃの磁気ストライプを読み取るための磁気リード機能を有していてもよい。
【符号の説明】
【００９９】
１００  料金自動収受機（料金機械）
１Ａ、１Ｂ  カード処理装置
１０  挿入口
１１  カード検出部
１２  入口搬送路
１３、１３ａ、１３ｂ  磁気読取部
１４  振分機構
１４１  回転板
１４２  軸
１４３  駆動部
１４４ａ、１４４ｂ  搬送ローラ
１５ａ  第１搬送路
１５ｂ  第２搬送路
１５ｃ  第３搬送路
１５１ａ、１５１ｂ、１５１ｃ  搬送ローラ
１６  第１カードリーダユニット
１７  第２カードリーダユニット
１８  第３カードリーダユニット
１９  制御部
１９０  磁気ストライプ処理部
１９１  種別判定部
１９２  搬送制御部
１９３  ＩＣチップ処理部
１９４  通信部
１９５  記憶部
２  ＣＰＵ
【図１】
2020135431.tif 000003
【図２】
2020135431.tif 000004
【図３】
2020135431.tif 000005
【図４】
2020135431.tif 000006
【図５】
2020135431.tif 000007
【図６】
2020135431.tif 000008
【図７】
2020135431.tif 000009
【図８】
2020135431.tif 000010